(57)【要約】【課題】本発明は探照灯を開示した。【解決手段】灯ヘッドと灯体とを含み、前記灯体が前記灯ヘッドの右側に位置し且つ前記灯ヘッドの右端面と固定的に連結され、前記灯ヘッドの中には照明機構が設置され、前記照明機構は前記灯ヘッドの中に嵌着された大灯板を含み、前記大灯板の左端面が外界と連通し、前記大灯板の中には八つの大電球が均一に嵌着され、前記灯体の中には右に開口した円柱溝が設置され、前記円柱溝の後端壁には電源箱が固定的に設置され、前記電源箱の中には右に開口したコンセントが設置され、前記電源箱と前記大灯板とが主電線によって連通され、この装置は便利に取り付けられ、使用者の体のいろんなところに取り付けられ、いろんな状況の使用に便利を与え、且つ省電の小範囲照明と電力がかかる大範囲照明との間に自由便利に切り替えられ、使用者の異なった需要を満足できる同時に、エネルギを節約する。【選択図】図１
2020181793.tif 000002
【特許請求の範囲】
【請求項１】
探照灯であって、灯ヘッドと灯体とを含み、前記灯体が前記灯ヘッドの右側に位置し且つ前記灯ヘッドの右端面と固定的に連結され、前記灯ヘッドの中には照明機構が設置され、前記照明機構は前記灯ヘッドの中に嵌着された大灯板を含み、前記大灯板の左端面が外界と連通し、前記大灯板の中には八つの大電球が均一に嵌着され、前記灯体の中には右に開口した円柱溝が設置され、前記円柱溝の後端壁には電源箱が固定的に設置され、前記電源箱の中には右に開口したコンセントが設置され、前記電源箱と前記大灯板とが主電線によって連通され、前記円柱溝の中には切替機構が設置され、前記切替機構は六つの均一に配置された台形棒を含み、前記灯ヘッドの中には外端壁が外部に連通した六つの垂直溝が均一に配置され、前記台形棒は左端が前記垂直棒の中に位置し且つ右端が外部に位置し、上側の前記垂直溝を例にすれば、前記垂直溝の左単壁には昇降溝が設置され、前記昇降溝の中には昇降ブロックがスライドできるように設置され、前記昇降ブロックの下端面には下端と前記昇降溝の下端壁とが固定的に連結された昇降撥条が固定的に設置され、前記昇降ブロックの右端面には右端が前記垂直溝の中に位置した昇降棒が固定的に設置され、前記昇降棒の右端には半円ブロックが固定的に設置され、前記半円ブロックの上端面には小灯板が固定的に設置され、前記小灯板の中には四つの小電球が均一に嵌着され、六つの前記台形棒の右側には前記台形棒と固定的に連結された一つの底板が設置され、前記底板の右端面にはロックベルトと差込ベルトとが固定的に設置され、左に前記底板を押すと前記台形棒を左に運動連動させ、それにより前記半円ブロックを押して前記灯ヘッドから離れるように運動させ、前記差込ベルトが前記ロックベルトの中に引っ掛かることができることを特徴とする探照灯。
【請求項２】
前記円柱溝の後端壁の中には前に開口した弾性溝が設置され、前記弾性溝の右端面には弾性撥条が固定的に設置され、前記弾性撥条の左端には前記弾性溝とスライドできるように連結された弾性ブロックが固定的に設置され、前記弾性ブロックの前端が前記円柱溝の中に位置し且つ前記弾性ブロックの前端にはプラグが固定的に設置され、前記プラグの中には前記小灯板と連通した六本の細い電線が固定的に設置され、前記プラグが左に運動して前記コンセントの中に差し込む時、前記細い電線の伝導によって前記小灯板を通電させて光らせることができることを特徴とする請求項１に記載の探照灯。
【請求項３】
前記円柱溝の上端壁には下に開口した運動溝が設置され、前記運動溝の上端壁には三角ブロックが固定的に設置され、上側の前記台形棒の中には上に開口した横溝が設置され、前記横溝の下端壁には支持軸が回転できるように設置され、前記支持軸には横棒が固定的に設置され、前記支持軸の上端面には上端が前記運動溝の中に位置した垂直棒が固定的に設置され、前記垂直棒の中には上に開口した垂直溝が設置され、前記垂直溝の下端壁には垂直撥条が固定的に設置され、前記垂直撥条の上端には上端が前記運動溝の中に位置した垂直ブロックが固定的に設置され、
前記円柱溝の端壁の中には五つの移動溝が均一に配置され、前記移動溝の左端壁には移動撥条が固定的に設置され、前記移動撥条の右端には前記移動溝とスライドできるように連結された移動ブロックが固定的に設置され、上側の前記台形棒を除き、他の前記台形棒のうち前記電源箱から離れた端面には、もう一端と前記移動ブロックのうち前記電源箱に近い端面とが固定的に連結された移動棒が固定的に設置され、前記垂直撥条が圧縮状態であり、前記垂直ブロックが左に運動する時、前記運動溝に止められることができることを特徴とする請求項１に記載の探照灯。
【発明の詳細な説明】
【技術分野】
【０００１】
本発明は灯具の分野を取り上げて、具体的には探照灯である。
【背景技術】
【０００２】
探照灯は照明に使われる灯具であり、幅広く使用されており、一般的には工程又は建築領域に使われ、その優勢は照明強度が高く、暗い環境の使用にふさわしく、ところが現有の探照灯の機能が単一で、ほとんどの探照灯は照明強度と照明角度しかを変えられなく、照明範囲の切替が少なく、適応性が悪い。
【先行技術文献】
【特許文献】
【０００３】
【特許文献１】中国特許出願公開第１０９５３８９８６号明細書
【発明の概要】
【発明が解決しようとする課題】
【０００４】
本発明の目的は探照灯を提供し、上記背景技術に提出される問題を解決できる。
【課題を解決するための手段】
【０００５】
本発明の探照灯は、灯ヘッドと灯体とを含み、前記灯体が前記灯ヘッドの右側に位置し且つ前記灯ヘッドの右端面と固定的に連結され、前記灯ヘッドの中には照明機構が設置され、前記照明機構は前記灯ヘッドの中に嵌着された大灯板を含み、前記大灯板の左端面が外界と連通し、前記大灯板の中には八つの大電球が均一に嵌着され、前記灯体の中には右に開口した円柱溝が設置され、前記円柱溝の後端壁には電源箱が固定的に設置され、前記電源箱の中には右に開口したコンセントが設置され、前記電源箱と前記大灯板とが主電線によって連通され、前記円柱溝の中には切替機構が設置され、前記切替機構は六つの均一に配置された台形棒を含み、前記灯ヘッドの中には外端壁が外部に連通した六つの垂直溝が均一に配置され、前記台形棒は左端が前記垂直棒の中に位置し且つ右端が外部に位置し、上側の前記垂直溝を例にすれば、前記垂直溝の左単壁には昇降溝が設置され、前記昇降溝の中には昇降ブロックがスライドできるように設置され、前記昇降ブロックの下端面には下端と前記昇降溝の下端壁とが固定的に連結された昇降撥条が固定的に設置され、前記昇降ブロックの右端面には右端が前記垂直溝の中に位置した昇降棒が固定的に設置され、前記昇降棒の右端には半円ブロックが固定的に設置され、前記半円ブロックの上端面には小灯板が固定的に設置され、前記小灯板の中には四つの小電球が均一に嵌着され、六つの前記台形棒の右側には前記台形棒と固定的に連結された一つの底板が設置され、前記底板の右端面にはロックベルトと差込ベルトとが固定的に設置され、左に前記底板を押すと前記台形棒を左に運動連動させ、それにより前記半円ブロックを押して前記灯ヘッドから離れるように運動させ、前記差込ベルトが前記ロックベルトの中に引っ掛かることができる。
【０００６】
更なる技術方案、前記円柱溝の後端壁の中には前に開口した弾性溝が設置され、前記弾性溝の右端面には弾性撥条が固定的に設置され、前記弾性撥条の左端には前記弾性溝とスライドできるように連結された弾性ブロックが固定的に設置され、前記弾性ブロックの前端が前記円柱溝の中に位置し且つ前記弾性ブロックの前端にはプラグが固定的に設置され、前記プラグの中には前記小灯板と連通した六本の細い電線が固定的に設置され、前記プラグが左に運動して前記コンセントの中に差し込む時、前記細い電線の伝導によって前記小灯板を通電させて光らせることができる。
【０００７】
前記円柱溝の上端壁には下に開口した運動溝が設置され、前記運動溝の上端壁には三角ブロックが固定的に設置され、上側の前記台形棒の中には上に開口した横溝が設置され、前記横溝の下端壁には支持軸が回転できるように設置され、前記支持軸には横棒が固定的に設置され、前記支持軸の上端面には上端が前記運動溝の中に位置した垂直棒が固定的に設置され、前記垂直棒の中には上に開口した垂直溝が設置され、前記垂直溝の下端壁には垂直撥条が固定的に設置され、前記垂直撥条の上端には上端が前記運動溝の中に位置した垂直ブロックが固定的に設置され、
前記円柱溝の端壁の中には五つの移動溝が均一に配置され、前記移動溝の左端壁には移動撥条が固定的に設置され、前記移動撥条の右端には前記移動溝とスライドできるように連結された移動ブロックが固定的に設置され、上側の前記台形棒を除き、他の前記台形棒のうち前記電源箱から離れた端面には、もう一端と前記移動ブロックのうち前記電源箱に近い端面とが固定的に連結された移動棒が固定的に設置され、前記垂直撥条が圧縮状態であり、前記垂直ブロックが左に運動する時、前記運動溝に止められることができる。
【発明の効果】
【０００８】
本発明の有益な効果は：この装置は便利に取り付けられ、使用者の体のいろんなところに取り付けられ、いろんな状況の使用に便利を与え、且つ省電の小範囲照明と電力がかかる大範囲照明との間に自由便利に切り替えられ、使用者の異なった需要を満足できる同時に、エネルギを節約する。
【図面の簡単な説明】
【０００９】
以下は図１〜６について本発明にを詳しく説明し、その中、便利に叙述するように、後文に出る方位を下記の通りに規定する：後文に出る上下左右前後方向は図１本体の投影関係の上下左右前後方向と一致する。
【００１０】
【図１】図１は本発明の探照灯の全体断面の正面構造模式図
【図２】図２は図１のＡ−Ａの拡大構造模式図
【図３】図３は図１のＢの拡大構造模式図
【図４】図４は図１のＣの拡大構造模式図
【図５】図５は図４のＤ−Ｄの拡大構造模式図
【図６】図６は探照灯の中の垂直棒の正面断面構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜６を参考して、本発明の探照灯は、灯ヘッド１０と灯体３１とを含み、前記灯体３１が前記灯ヘッド１０の右側に位置し且つ前記灯ヘッド１０の右端面と固定的に連結され、前記灯ヘッド１０の中には照明機構６１が設置され、前記照明機構６１は前記灯ヘッド１０の中に嵌着された大灯板１７を含み、前記大灯板１７の左端面が外界と連通し、前記大灯板１７の中には八つの大電球１５が均一に嵌着され、前記灯体３１の中には右に開口した円柱溝２６が設置され、前記円柱溝２６の後端壁には電源箱３４が固定的に設置され、前記電源箱３４の中には右に開口したコンセント３３が設置され、前記電源箱３４と前記大灯板１７とが主電線１６によって連通され、前記円柱溝２６の中には切替機構６０が設置され、前記切替機構６０は六つの均一に配置された台形棒３２を含み、前記灯ヘッド１０の中には外端壁が外部に連通した六つの垂直溝２０が均一に配置され、前記台形棒３２は左端が前記垂直棒２０の中に位置し且つ右端が外部に位置し、上側の前記垂直溝２０を例にすれば、前記垂直溝２０の左単壁には昇降溝１１が設置され、前記昇降溝１１の中には昇降ブロック１３がスライドできるように設置され、前記昇降ブロック１３の下端面には下端と前記昇降溝１１の下端壁とが固定的に連結された昇降撥条１４が固定的に設置され、前記昇降ブロック１３の右端面には右端が前記垂直溝２０の中に位置した昇降棒１２が固定的に設置され、前記昇降棒１２の右端には半円ブロック１８が固定的に設置され、前記半円ブロック１８の上端面には小灯板２１が固定的に設置され、前記小灯板２１の中には四つの小電球１９が均一に嵌着され、六つの前記台形棒３２の右側には前記台形棒３２と固定的に連結された一つの底板２３が設置され、前記底板２３の右端面にはロックベルト２４と差込ベルト２５とが固定的に設置され、左に前記底板２３を押すと前記台形棒３２を左に運動連動させ、それにより前記半円ブロック１８を押して前記灯ヘッド１０から離れるように運動させ、前記差込ベルト２５が前記ロックベルト２４の中に引っ掛かることができる。
【００１３】
有益なように、前記円柱溝２６の後端壁の中には前に開口した弾性溝３６が設置され、前記弾性溝３６の右端面には弾性撥条３７が固定的に設置され、前記弾性撥条３７の左端には前記弾性溝３６とスライドできるように連結された弾性ブロック３８が固定的に設置され、前記弾性ブロック３８の前端が前記円柱溝２６の中に位置し且つ前記弾性ブロック３８の前端にはプラグ３５が固定的に設置され、前記プラグ３５の中には前記小灯板２１と連通した六本の細い電線２２が固定的に設置され、前記プラグ３５が左に運動して前記コンセント３３の中に差し込む時、前記細い電線２２の伝導によって前記小灯板２１を通電させて光らせることができる。
【００１４】
有益なように、前記円柱溝２６の上端壁には下に開口した運動溝３９が設置され、前記運動溝３９の上端壁には三角ブロック４０が固定的に設置され、上側の前記台形棒３２の中には上に開口した横溝４５が設置され、前記横溝４５の下端壁には支持軸４２が回転できるように設置され、前記支持軸４２には横棒４３が固定的に設置され、前記支持軸４２の上端面には上端が前記運動溝３９の中に位置した垂直棒４４が固定的に設置され、前記垂直棒４４の中には上に開口した垂直溝４６が設置され、前記垂直溝４６の下端壁には垂直撥条４７が固定的に設置され、前記垂直撥条４７の上端には上端が前記運動溝３９の中に位置した垂直ブロック４１が固定的に設置され、
前記円柱溝２６の端壁の中には五つの移動溝３０が均一に配置され、前記移動溝３０の左端壁には移動撥条２９が固定的に設置され、前記移動撥条２９の右端には前記移動溝３０とスライドできるように連結された移動ブロック２７が固定的に設置され、上側の前記台形棒３２を除き、他の前記台形棒３２のうち前記電源箱３４から離れた端面には、もう一端と前記移動ブロック２７のうち前記電源箱３４に近い端面とが固定的に連結された移動棒２８が固定的に設置され、前記垂直撥条４７が圧縮状態であり、前記垂直ブロック４１が左に運動する時、前記運動溝３９に止められることができる。
【００１５】
以下、付図１〜６及び上記の本願発明の探照灯の具体的な構造を参考してその使い方を詳しく説明する：初期状態に、垂直撥条４７が圧縮状態である；
【００１６】
ロックベルト２４と差込ベルト２５とによって、装置を使用者の腰と、アームと、足と、頭とに固定して操り、電源箱３４を始動し、主電線１６の伝導によって、大灯板１７を通電させ、大電球１５に伝導し、光って照明し、環境が特別に暗い又は大きな範囲の照明もしくは細かい照明が需要する時、右に灯ヘッド１０を押し、垂直ブロック４１を運動溝３９の中で運動させ、垂直撥条４７が復帰して運動溝３９の中に引掛り、台形棒３２が半円ブロック１８を押し動かし、小灯板２１を垂直溝２０の中から外部に伸び出し、小灯板２１が細い電線２２を引っ張り、それによりプラグ３５を引っ張ってコンセント３３の中に差し込み、細い電線２２の伝導によって、小灯板２１が大きな範囲また更に高い照明強度の照明を行う。
【００１７】
本発明の有益な効果は：この装置は便利に取り付けられ、使用者の体のいろんなところに取り付けられ、いろんな状況の使用に便利を与え、且つ省電の小範囲照明と電力がかかる大範囲照明との間に自由便利に切り替えられ、使用者の異なった需要を満足できる同時に、エネルギを節約する。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020181793.tif 000003
【図２】
2020181793.tif 000004
【図３】
2020181793.tif 000005
【図４】
2020181793.tif 000006
【図５】
2020181793.tif 000007
【図６】
2020181793.tif 000008
【手続補正書】
【提出日】令和1年6月12日(2019.6.12)
【手続補正１】
【補正対象書類名】特許請求の範囲
【補正対象項目名】請求項１
【補正方法】変更
【補正の内容】
【請求項１】
探照灯であって、灯ヘッドと灯体とを含み、前記灯体が前記灯ヘッドの右側に位置し且つ前記灯ヘッドの右端面と固定的に連結され、前記灯ヘッドの中には照明機構が設置され、前記照明機構は前記灯ヘッドの中に嵌着された大灯板を含み、前記大灯板の左端面が外界と連通し、前記大灯板の中には八つの大電球が均一に嵌着され、前記灯体の中には右に開口した円柱溝が設置され、前記円柱溝の後端壁には電源箱が固定的に設置され、前記電源箱の中には右に開口したコンセントが設置され、前記電源箱と前記大灯板とが主電線によって連通され、前記円柱溝の中には切替機構が設置され、前記切替機構は六つの均一に配置された台形棒を含み、前記灯ヘッドの中には外端壁が外部に連通した六つの垂直溝が均一に配置され、前記台形棒は左端が前記垂直棒の中に位置し且つ右端が外部に位置し、前記垂直溝の左単壁には昇降溝が設置され、前記昇降溝の中には昇降ブロックがスライドできるように設置され、前記昇降ブロックの下端面には下端と前記昇降溝の下端壁とが固定的に連結された昇降撥条が固定的に設置され、前記昇降ブロックの右端面には右端が前記垂直溝の中に位置した昇降棒が固定的に設置され、前記昇降棒の右端には半円ブロックが固定的に設置され、前記半円ブロックの上端面には小灯板が固定的に設置され、前記小灯板の中には四つの小電球が均一に嵌着され、六つの前記台形棒の右側には前記台形棒と固定的に連結された一つの底板が設置され、前記底板の右端面にはロックベルトと差込ベルトとが固定的に設置され、左に前記底板を押すと前記台形棒を左に運動連動させ、それにより前記半円ブロックを押して前記灯ヘッドから離れるように運動させ、前記差込ベルトが前記ロックベルトの中に引っ掛かることができることを特徴とする探照灯。
【手続補正２】
【補正対象書類名】明細書
【補正対象項目名】全文
【補正方法】変更
【補正の内容】
【発明の詳細な説明】
【技術分野】
【０００１】
本発明は灯具の分野を取り上げて、具体的には探照灯である。
【背景技術】
【０００２】
探照灯は照明に使われる灯具であり、幅広く使用されており、一般的には工程又は建築領域に使われ、その優勢は照明強度が高く、暗い環境の使用にふさわしく、ところが現有の探照灯の機能が単一で、ほとんどの探照灯は照明強度と照明角度しかを変えられなく、照明範囲の切替が少なく、適応性が悪い。
【先行技術文献】
【特許文献】
【０００３】
【特許文献１】中国特許出願公開第１０９５３８９８６号明細書
【発明の概要】
【発明が解決しようとする課題】
【０００４】
本発明の目的は探照灯を提供し、上記背景技術に提出される問題を解決できる。
【課題を解決するための手段】
【０００５】
本発明の探照灯は、灯ヘッドと灯体とを含み、前記灯体が前記灯ヘッドの右側に位置し且つ前記灯ヘッドの右端面と固定的に連結され、前記灯ヘッドの中には照明機構が設置され、前記照明機構は前記灯ヘッドの中に嵌着された大灯板を含み、前記大灯板の左端面が外界と連通し、前記大灯板の中には八つの大電球が均一に嵌着され、前記灯体の中には右に開口した円柱溝が設置され、前記円柱溝の後端壁には電源箱が固定的に設置され、前記電源箱の中には右に開口したコンセントが設置され、前記電源箱と前記大灯板とが主電線によって連通され、前記円柱溝の中には切替機構が設置され、前記切替機構は六つの均一に配置された台形棒を含み、前記灯ヘッドの中には外端壁が外部に連通した六つの垂直溝が均一に配置され、前記台形棒は左端が前記垂直棒の中に位置し且つ右端が外部に位置し、前記垂直溝の左単壁には昇降溝が設置され、前記昇降溝の中には昇降ブロックがスライドできるように設置され、前記昇降ブロックの下端面には下端と前記昇降溝の下端壁とが固定的に連結された昇降撥条が固定的に設置され、前記昇降ブロックの右端面には右端が前記垂直溝の中に位置した昇降棒が固定的に設置され、前記昇降棒の右端には半円ブロックが固定的に設置され、前記半円ブロックの上端面には小灯板が固定的に設置され、前記小灯板の中には四つの小電球が均一に嵌着され、六つの前記台形棒の右側には前記台形棒と固定的に連結された一つの底板が設置され、前記底板の右端面にはロックベルトと差込ベルトとが固定的に設置され、左に前記底板を押すと前記台形棒を左に運動連動させ、それにより前記半円ブロックを押して前記灯ヘッドから離れるように運動させ、前記差込ベルトが前記ロックベルトの中に引っ掛かることができる。
【０００６】
更なる技術方案、前記円柱溝の後端壁の中には前に開口した弾性溝が設置され、前記弾性溝の右端面には弾性撥条が固定的に設置され、前記弾性撥条の左端には前記弾性溝とスライドできるように連結された弾性ブロックが固定的に設置され、前記弾性ブロックの前端が前記円柱溝の中に位置し且つ前記弾性ブロックの前端にはプラグが固定的に設置され、前記プラグの中には前記小灯板と連通した六本の細い電線が固定的に設置され、前記プラグが左に運動して前記コンセントの中に差し込む時、前記細い電線の伝導によって前記小灯板を通電させて光らせることができる。
【０００７】
前記円柱溝の上端壁には下に開口した運動溝が設置され、前記運動溝の上端壁には三角ブロックが固定的に設置され、上側の前記台形棒の中には上に開口した横溝が設置され、前記横溝の下端壁には支持軸が回転できるように設置され、前記支持軸には横棒が固定的に設置され、前記支持軸の上端面には上端が前記運動溝の中に位置した垂直棒が固定的に設置され、前記垂直棒の中には上に開口した垂直溝が設置され、前記垂直溝の下端壁には垂直撥条が固定的に設置され、前記垂直撥条の上端には上端が前記運動溝の中に位置した垂直ブロックが固定的に設置され、
前記円柱溝の端壁の中には五つの移動溝が均一に配置され、前記移動溝の左端壁には移動撥条が固定的に設置され、前記移動撥条の右端には前記移動溝とスライドできるように連結された移動ブロックが固定的に設置され、上側の前記台形棒を除き、他の前記台形棒のうち前記電源箱から離れた端面には、もう一端と前記移動ブロックのうち前記電源箱に近い端面とが固定的に連結された移動棒が固定的に設置され、前記垂直撥条が圧縮状態であり、前記垂直ブロックが左に運動する時、前記運動溝に止められることができる。
【発明の効果】
【０００８】
本発明の有益な効果は：この装置は便利に取り付けられ、使用者の体のいろんなところに取り付けられ、いろんな状況の使用に便利を与え、且つ省電の小範囲照明と電力がかかる大範囲照明との間に自由便利に切り替えられ、使用者の異なった需要を満足できる同時に、エネルギを節約する。
【図面の簡単な説明】
【０００９】
以下は図１〜６について本発明にを詳しく説明し、その中、便利に叙述するように、後文に出る方位を下記の通りに規定する：後文に出る上下左右前後方向は図１本体の投影関係の上下左右前後方向と一致する。
【００１０】
【図１】図１は本発明の探照灯の全体断面の正面構造模式図
【図２】図２は図１のＡ−Ａの拡大構造模式図
【図３】図３は図１のＢの拡大構造模式図
【図４】図４は図１のＣの拡大構造模式図
【図５】図５は図４のＤ−Ｄの拡大構造模式図
【図６】図６は探照灯の中の垂直棒の正面断面構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜６を参考して、本発明の探照灯は、灯ヘッド１０と灯体３１とを含み、前記灯体３１が前記灯ヘッド１０の右側に位置し且つ前記灯ヘッド１０の右端面と固定的に連結され、前記灯ヘッド１０の中には照明機構６１が設置され、前記照明機構６１は前記灯ヘッド１０の中に嵌着された大灯板１７を含み、前記大灯板１７の左端面が外界と連通し、前記大灯板１７の中には八つの大電球１５が均一に嵌着され、前記灯体３１の中には右に開口した円柱溝２６が設置され、前記円柱溝２６の後端壁には電源箱３４が固定的に設置され、前記電源箱３４の中には右に開口したコンセント３３が設置され、前記電源箱３４と前記大灯板１７とが主電線１６によって連通され、前記円柱溝２６の中には切替機構６０が設置され、前記切替機構６０は六つの均一に配置された台形棒３２を含み、前記灯ヘッド１０の中には外端壁が外部に連通した六つの垂直溝２０が均一に配置され、前記台形棒３２は左端が前記垂直棒２０の中に位置し且つ右端が外部に位置し、前記垂直溝２０の左単壁には昇降溝１１が設置され、前記昇降溝１１の中には昇降ブロック１３がスライドできるように設置され、前記昇降ブロック１３の下端面には下端と前記昇降溝１１の下端壁とが固定的に連結された昇降撥条１４が固定的に設置され、前記昇降ブロック１３の右端面には右端が前記垂直溝２０の中に位置した昇降棒１２が固定的に設置され、前記昇降棒１２の右端には半円ブロック１８が固定的に設置され、前記半円ブロック１８の上端面には小灯板２１が固定的に設置され、前記小灯板２１の中には四つの小電球１９が均一に嵌着され、六つの前記台形棒３２の右側には前記台形棒３２と固定的に連結された一つの底板２３が設置され、前記底板２３の右端面にはロックベルト２４と差込ベルト２５とが固定的に設置され、左に前記底板２３を押すと前記台形棒３２を左に運動連動させ、それにより前記半円ブロック１８を押して前記灯ヘッド１０から離れるように運動させ、前記差込ベルト２５が前記ロックベルト２４の中に引っ掛かることができる。
【００１３】
有益なように、前記円柱溝２６の後端壁の中には前に開口した弾性溝３６が設置され、前記弾性溝３６の右端面には弾性撥条３７が固定的に設置され、前記弾性撥条３７の左端には前記弾性溝３６とスライドできるように連結された弾性ブロック３８が固定的に設置され、前記弾性ブロック３８の前端が前記円柱溝２６の中に位置し且つ前記弾性ブロック３８の前端にはプラグ３５が固定的に設置され、前記プラグ３５の中には前記小灯板２１と連通した六本の細い電線２２が固定的に設置され、前記プラグ３５が左に運動して前記コンセント３３の中に差し込む時、前記細い電線２２の伝導によって前記小灯板２１を通電させて光らせることができる。
【００１４】
有益なように、前記円柱溝２６の上端壁には下に開口した運動溝３９が設置され、前記運動溝３９の上端壁には三角ブロック４０が固定的に設置され、上側の前記台形棒３２の中には上に開口した横溝４５が設置され、前記横溝４５の下端壁には支持軸４２が回転できるように設置され、前記支持軸４２には横棒４３が固定的に設置され、前記支持軸４２の上端面には上端が前記運動溝３９の中に位置した垂直棒４４が固定的に設置され、前記垂直棒４４の中には上に開口した垂直溝４６が設置され、前記垂直溝４６の下端壁には垂直撥条４７が固定的に設置され、前記垂直撥条４７の上端には上端が前記運動溝３９の中に位置した垂直ブロック４１が固定的に設置され、
前記円柱溝２６の端壁の中には五つの移動溝３０が均一に配置され、前記移動溝３０の左端壁には移動撥条２９が固定的に設置され、前記移動撥条２９の右端には前記移動溝３０とスライドできるように連結された移動ブロック２７が固定的に設置され、上側の前記台形棒３２を除き、他の前記台形棒３２のうち前記電源箱３４から離れた端面には、もう一端と前記移動ブロック２７のうち前記電源箱３４に近い端面とが固定的に連結された移動棒２８が固定的に設置され、前記垂直撥条４７が圧縮状態であり、前記垂直ブロック４１が左に運動する時、前記運動溝３９に止められることができる。
【００１５】
以下、付図１〜６及び上記の本願発明の探照灯の具体的な構造を参考してその使い方を詳しく説明する：初期状態に、垂直撥条４７が圧縮状態である；
【００１６】
ロックベルト２４と差込ベルト２５とによって、装置を使用者の腰と、アームと、足と、頭とに固定して操り、電源箱３４を始動し、主電線１６の伝導によって、大灯板１７を通電させ、大電球１５に伝導し、光って照明し、環境が特別に暗い又は大きな範囲の照明もしくは細かい照明が需要する時、右に灯ヘッド１０を押し、垂直ブロック４１を運動溝３９の中で運動させ、垂直撥条４７が復帰して運動溝３９の中に引掛り、台形棒３２が半円ブロック１８を押し動かし、小灯板２１を垂直溝２０の中から外部に伸び出し、小灯板２１が細い電線２２を引っ張り、それによりプラグ３５を引っ張ってコンセント３３の中に差し込み、細い電線２２の伝導によって、小灯板２１が大きな範囲また更に高い照明強度の照明を行う。
【００１７】
本発明の有益な効果は：この装置は便利に取り付けられ、使用者の体のいろんなところに取り付けられ、いろんな状況の使用に便利を与え、且つ省電の小範囲照明と電力がかかる大範囲照明との間に自由便利に切り替えられ、使用者の異なった需要を満足できる同時に、エネルギを節約する。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。